(57)【特許請求の範囲】
【請求項１】
液透過性の表面シート、液不透過性の防漏シート及び液保持性の吸収体を備え、実質的に縦長であり、長手方向左右両側部に立体ガード弾性部材が配された立体ガードが設けられており、背側部の左右両側部にファスニングテープを備えた吸収性物品において、
前記立体ガード弾性部材は、吸収性物品の股下部においては、吸収性物品の長手方向に向けて配設され、且つ吸収性物品の背側部においては、端部が前記ファスニングテープ側に位置するように、湾曲して配設されている吸収性物品。
【請求項２】
前記立体ガード弾性部材の前記背側部側の端部は、前記ファスニングテープを前記背側部の側部に固定して形成された固定部に位置する請求項１記載の吸収性物品。
【請求項３】
前記背側部における一対のファスニングテープ間には、ウエスト立体ガード弾性部材を有するウエスト立体ガードが設けられており、該ウエスト立体ガードの該ウエスト立体ガード弾性部材は、その両端部がそれぞれ前記ファスニングテープを背側部の側部に固定して形成された固定部に位置する請求項１又は２記載の吸収性物品。
【発明の詳細な説明】
【０００１】
【発明の属する技術分野】
本発明は、フィット性が良く、脚回りからの漏れ防止性に優れた吸収性物品に関する。
【０００２】
【従来の技術及び発明が解決しようとする課題】
従来より、立体ガード弾性部材が配された立体ガードを有し且つ背側部の左右両側にファスニングテープを有する使い捨ておむつ等の吸収性物品は、種々用いられている。
そして、このような従来の使い捨ておむつにおける立体ガード弾性部材は、使い捨ておむつの長手方向に沿って設けられている。
しかし、このような構造の使い捨ておむつでは、立体ガードの着用者に対するフィット性が十分でないため、脚回りからの漏れ防止性が十分でないという問題がある。
【０００３】
従って、本発明の目的は、フィット性が良好で、脚回りからの漏れ防止性に優れた吸収性物品を提供することにある。
【０００４】
【課題を解決するための手段】
本発明は、液透過性の表面シート、液不透過性の防漏シート及び液保持性の吸収体を備え、実質的に縦長であり、長手方向左右両側部に立体ガード弾性部材が配された立体ガードが設けられており、背側部の左右両側部にファスニングテープを備えた吸収性物品において、前記立体ガード弾性部材は、吸収性物品の股下部においては、吸収性物品の長手方向に向けて配設され、且つ吸収性物品の背側部においては、端部が前記ファスニングテープ側に位置するように、湾曲して配設されている吸収性物品を提供することにより、前記目的を達成したものである。
【０００５】
【発明の実施の形態】
以下、本発明の好ましい一実施形態について説明する。
本発明の吸収性物品としての使い捨ておむつ１は、図１〜３に示すように、液吸収性の透過性の表面シート２、液不透過性の防漏シート３及び液保持性の吸収体４を備え、実質的に縦長であり、長手方向左右両側部に立体ガード弾性部材６４が配された一対の立体ガード６が設けられており、背側部Ｂの左右両側部Ｂ１，Ｂ２にファスニングテープ１１を備えている。
本実施形態の使い捨ておむつ１は、表面シート２及び防漏シート３で吸収体４を狭持固定してなる。また、防漏シート３は、吸収体４の左右両側部上方に巻き上げられている。
また、防漏シート３の表面には、外層不織布５が配されている。外層不織布５は、その両側縁部が、吸収体４の側縁４ａよりも外方に位置するように延出されており、この延出された部分と立体ガード形成用のシート材６１とが貼り合わされて、左右一対のサイドフラップ部７が形成されている。また、シート材６１は、吸収体４の側部上方において表面シート２に固着されて、基端６０を形成している。
【０００６】
而して、本実施形態の使い捨ておむつ１において、複数の立体ガード弾性部材６４は、図１及び２に示すように、使い捨ておむつ１の股下部Ｃにおいては、使い捨ておむつ１の長手方向に向けて直線状に配設され、且つ使い捨ておむつ１の背側部Ｂにおいては、端部６４ａがファスニングテープ１１側に位置するように、湾曲して配設されている。
【０００７】
更に詳述すると、本実施形態において、立体ガード弾性部材６４は、それぞれ、ひも状で、ほぼ一定の間隔を開けて５本設けられているが、弾性部材を設ける本数はこれに制限されず、１〜１０本とすることができる。
立体ガード６は、帯状であり、立体ガード弾性部材６４は、立体ガード形成用のシート材６１により狭持固定されている。立体ガード６の幅Ｗ（自由端縁６３から基端６０までの長さ、図２参照）は、１０〜１５０ｍｍであるのが好ましく、各立体ガード弾性部材６４の間隔ｔ（図２参照）は、１〜２０ｍｍとするのが股部からの漏れ防止の点で好ましい。
そして、立体ガード弾性部材６４は、立体ガード弾性部材の向きをほぼ９０°変えるように、背側部Ｂと股下部Ｃとの境界部分から背側部の側縁部に向けて湾曲されている。
立体ガード弾性部材の湾曲率は、本実施形態においては、９０°であるが、１０〜９０°とするのが、使い捨ておむつ装着時にファスニングテープ端部を引っ張る力が立体ガード弾性部材に伝わり、立体ガードを装着者の体に沿って密着させることができる点で好ましい。
吸収性物品の長手方向に配設された立体ガード弾性部材が、ファスニングテープ側部に至る間で屈曲したり、１０ｍｍ以下の曲率半径で湾曲させても良いが、体に沿って密着させるためには、曲率半径１０ｍｍ以上で滑らか湾曲させるのが好ましい。
ここで、湾曲率は、ファスニングテープ側の立体ガード弾性部材の端部での接線から、立体ガード弾性部材端を中心として反時計方向に吸収性物品の長手方向線に至るまでの角度である。
【０００８】
また、本実施形態において、立体ガード弾性部材６４の背側部Ｂ側の端部は、前記ファスニングテープ１１の基端部を背側部Ｂの側部Ｂ１，Ｂ２に固定して形成された固定部１２に位置する。そして、立体ガード形成用のシート材６１は、固定部１２に固定されているので、立体ガード弾性部材６４は、ファスニングテープ１１に連結された状態とされている。
【０００９】
また、背側部Ｂにおける一対のファスニングテープ１１間には、ウエスト立体ガード弾性部材９４を有するウエスト立体ガード９が設けられており、ウエスト立体ガード９のウエスト立体ガード弾性部材９４は、その両端部９４ａがそれぞれファスニングテープ１１を背側部Ｂの側部Ｂ１，Ｂ２に固定して形成された固定部１２に位置する。
ウエスト立体ガード９も、立体ガード６と同様にシート材９１とウエスト立体ガード弾性部材９４とからなり、吸収体４の端部上で表面シート２に固着されて基端を形成している。
ウエスト立体ガード弾性部材９４は、本実施形態においては、それぞれ、等間隔且つ直線状に、５本設けられている。
【００１０】
また、立体ガード弾性部材６４の応力は、用いる材料や伸張率を調節することにより、適宜調整可能であり、立体ガード弾性部材６４の伸張率を１０％〜２００％とするのが、おむつを装着したとき、立体ガードの体との密着性が良くなり、股部からの漏れ防止を図れる点で好ましい。
また、ウエスト立体ガード弾性部材９４の伸張率は、１０％〜２００％とするのが、ウエスト立体ガードが体と密着し、おなか回りからの漏れ防止を図れる点で好ましい。
【００１１】
また、本実施形態の使い捨ておむつ１においては、レッグ部７１及びウエスト部８に弾性部材を配していない。
更に、腹側部Ａ側にもウエスト立体ガード弾性部材９４を１本有する立体ガードが配されたウエスト立体ガード９’が配されている。
【００１２】
次に、本実施形態の使い捨ておむつ１を構成する各部材の形成材料について説明する。
前記表面シート２、前記防漏シート３、前記吸収体４及び前記ファスニングテープ１１の形成材料としては、通常、使い捨ておむつに用いられるものを特に制限なく用いることができる。
【００１３】
また、前記シート材６１及び前記外層不織布５は、その耐水圧（撥水度）が、３．０ｇ／ｃｍ2 以上であるのが好ましく、５．０ｇ／ｃｍ2 以上であるのが更に好ましい。耐水圧が３．０ｇ／ｃｍ2 未満であると、立体ガードを乗り越えた排泄物のにじみ漏れが起きやすくなる。
また、前記外層不織布５は、そのＣＤ方向の強度（破断強度）が、１０００ｃＮ／５０ｍｍ以上であるのが好ましく、１２００ｃＮ／５０ｍｍ以上であるのが更に好ましい。強度が１０００ｃＮ／５０ｍｍ未満であると、ファスニングテープが付け根から破れることがない。
このような条件を満足する材料としては、ヒートロール不織布、スパンボンド不織布、スパンボンド−メルトブローン−スパンボンド（ＳＭＳ）、スパンボンド−メルトブローン−メルトブローン−スパンボンド（ＳＭＭＳ）等が好ましく用いられる。
【００１４】
ここで、前記耐水圧、及び前記破断強度（強度）は、それぞれ、下記のようにして測定される。
耐水圧；耐水圧；ＪＩＳ−Ｌ１０９２に準ずる。
破断強度；原反の流れ方向（ＭＤ）に巾２５ｍｍ、流れ方向と直交する方向（ＣＤ）に長さ１５０ｍｍの試験片を切り出した。この試験片について、テンシロン引張試験機〔（株）オリエンテック社製〕を用い、チャック間５０ｍｍ、ＣＤ方向の引張速度３００ｍｍ／ｍｉｎで引張試験を行い、破断時の強度を測定した。
【００１５】
また、立体ガード弾性部材６４及びウエスト立体ガード弾性部材９４としては、天然糸ゴム、ウレタン系ゴム、平ゴム、エラストマーフィルム、ポリウレタンフィルム、エラストマーフォーム、ポリウレタンフォーム、熱収縮性フィルム等が用いられるが、伸縮性のある素材であれば特に限定されず、弾性率は、１．１〜２．５とするのが好ましい。
【００１６】
本実施形態の使い捨ておむつ１は、通常の展開型の使い捨ておむつと同様に使用することができる。
そして、本実施形態の使い捨ておむつ１は、立体ガード弾性部材６４が背側部側で湾曲されているので、ファスニングテープ１１と連動して、ファスニングテープ１１を止着すると、それにより、立体ガード弾性部材６４が引っ張られて股下部Ｃの立体ガード６が着用者の脚回りに密着する。このため、脚回りのフィット性が向上され、その結果、漏れ防止性が向上する。この効果は、立体ガード弾性部材６４の端部６４ａが固定部１２に位置し、固着されている本実施形態においては、より向上されている。さらに、本実施形態においては、ウエスト立体ガード９を構成するウエスト立体ガード弾性部材９４がファスニングテープ１１と連動させているので、ウエスト部８におけるおむつのずれを防ぎ、腰回りからの漏れを防止できる。
【００１７】
本実施形態の使い捨ておむつは、通常の使い捨ておむつの製造に際して用いられる手法を特に制限なく用いて製造することができる。
【００１８】
尚、本発明の吸収性物品は、上述の実施形態に制限されるものではなく、本発明の趣旨を逸脱しない範囲で種々変更可能である。
例えば、使い捨ておむつの他、生理用ナプキンや失禁パッド等に適用可能である。
立体ガード弾性部材６４の間隔は一定でなくてよく、ウエスト立体ガード弾性部材９４の本数や間隔も制限されない。
また、立体ガード弾性部材６４の股下部Ｃにおける配設方向は、長手方向に向かってさえいれば、直線状でなく、多少湾曲したり、長手方向と所定の角度をもって配されていてもよい。
【００１９】
【発明の効果】
本発明の吸収性物品は、フィット性が良好で、脚回りからの漏れ防止性に優れたものである。
【図面の簡単な説明】
【図１】図１は、本発明の吸収性物品の実施形態の使い捨ておむつを、その弾性部材を自由状態とした状態を示す斜視図である。
【図２】図２は、図１に示す使い捨ておむつの弾性部材を伸張させた状態を示す平面図である。
【図３】図３は、図２のＸ−Ｘ断面図である。
【符号の説明】
１  使い捨ておむつ
１１  ファスニングテープ
１２  固定部
２  表面シート
３  防漏シート
４  吸収体
５  外層不織布
６  立体ガード
６０  基端
６１  シート材
６３  自由端縁
６４  立体ガード弾性部材
７  サイドフラップ部
７１  レッグ部
８  ウエスト部
９  ウエスト立体ガード
９４  ウエスト立体ガード弾性部材
Ａ  腹側部
Ｂ  背側部
Ｃ  股下部
【図１】
0003904353.tif 000002
【図２】
0003904353.tif 000003
【図３】
0003904353.tif 000004